(57)【要約】      （修正有）【課題】取付用のバネが電線の接続の邪魔をしないダウンライトを提供する。【解決手段】設置天井６０の取付穴６１に埋込状態に取り付けられるダウンライトであり、ランプ本体２０と、ランプ本体２０に電力を供給する電線を接続する端子３１、３２と、ランプ本体２０を設置天井６０の取付穴６１に取り付ける複数の取付バネ４０、５０とを備える。複数の取付バネ４０、５０は、ランプ本体２０の周方向に間隔をあけて放射状に配置され、かつ、端子３１、３２に最も近い取付バネ４０が、端子３１、３２への電線の接続方向に対して電線から遠ざかる方向に５°〜２０°の位置に配置されている。【選択図】図４Ａ
2020198213.tif 000002
【特許請求の範囲】
【請求項１】
設置天井の取付穴に埋込状態に取り付けられるダウンライトであり、
ランプ本体と、前記ランプ本体に電力を供給する電線を接続する端子と、前記ランプ本体を設置天井の取付穴に取り付ける複数の取付バネとを備え、
前記複数の取付バネはランプ本体の周方向に間隔をあけて放射状に配置され、かつ前記端子に最も近い取付バネが前記端子への電線の接続方向に対して電線から遠ざかる方向に５°〜２０°の位置に配置されていることを特徴とするダウンライト。
【請求項２】
前記端子は、電線の接続方向がランプ本体の中心に向かわない位置に取り付けられている請求項１に記載のダウンライト。
【請求項３】
２つの取り付けバネを備え、これらの取付バネがランプ本体の中心に対して対向する位置に配置されている請求項１または２に記載のダウンライト。
【発明の詳細な説明】
【技術分野】
【０００１】
本発明は天井等に設置されるダウンライトに関する。
【背景技術】
【０００２】
天井に設置される照明器具として、天井に形成された取付穴に埋め込まれるダウンライトが知られている。このようなダウンライトは取付穴に係止するために、器具本体から外側に張り出したバネを備えている。前記ダウンライトを取りつけるには、天井裏に敷設された電線を天井下に引き出して照明器具と接続し、バネを上方に弾性変形させて器具本体に沿わせた状態で取付穴に押し込み、復元したバネを天井に係止させる（特許文献１参照）。
【先行技術文献】
【特許文献】
【０００３】
【特許文献１】特許第６３０９７７６号公報
【発明の概要】
【発明が解決しようとする課題】
【０００４】
上記構造のダウンライトでは、照明器具に電線を接続する際に外側に張り出したバネが邪魔になることがある。
【課題を解決するための手段】
【０００５】
本発明は、上述した背景技術に鑑み、取付用のバネが電線の接続の邪魔をしないダウンライトを提供するものである。
【０００６】
即ち、本発明は、下記［１］〜［３］に記載の構成を有する。
【０００７】
［１］設置天井の取付穴に埋込状態に取り付けられるダウンライトであり、
ランプ本体と、前記ランプ本体に電力を供給する電線を接続する端子と、前記ランプ本体を設置天井の取付穴に取り付ける複数の取付バネとを備え、
前記複数の取付バネはランプ本体の周方向に間隔をあけて放射状に配置され、かつ前記端子に最も近い取付バネが前記端子への電線の接続方向に対して電線から遠ざかる方向に５°〜２０°の位置に配置されていることを特徴とするダウンライト。
【０００８】
［２］前記端子は、電線の接続方向がランプ本体の中心に向かわない位置に取り付けられている前項１に記載のダウンライト。
【０００９】
［３］２つの取り付けバネを備え、これらの取付バネがランプ本体の中心に対して対向する位置に配置されている前項１また２に記載のダウンライト。
【発明の効果】
【００１０】
上記［１］に記載のダウンライトによれば、取付バネが端子に接続される電線から遠ざかる方向に取り付けられているので端子前のスペースが広がり、電線の接続時に取付バネに干渉しにくい。
【００１１】
上記［２］に記載のダウンライト、即ち電線の接続方向がランプ本体の中心に向かわない位置に端子が取り付けられているダウンライトにおいて、端子前のスペースを広げて電線が取付バネに干渉しにくくすることができる。
【００１２】
上記［３］に記載のダウンライトによれば、取付バネの数が２つであるから片手で設置作業を行える。
【図面の簡単な説明】
【００１３】
【図１】本発明のダウンライトの一実施形態の斜視図である。
【図２】図１のダウンライトの平面図である。
【図３】図１のダウンライトの正面図である。
【図４Ａ】ダウンライトの設置作業を示す斜視図である。
【図４Ｂ】ダウンライトの設置作業を示す斜視図である。
【図４Ｃ】図４Ｂを別の方向から見た斜視図である。
【図４Ｄ】ダウンライトが天井に設置された状態を示す斜視図である。
【発明を実施するための形態】
【００１４】
図１〜３に本発明のダウンライトの一実施形態を示す。
【００１５】
ダウンライト１は、ベース１０、ランプ本体２０、端子台３０および２つの取付バネ４０、５０を備えている。
【００１６】
前記ベース１０は、環形の枠体１１と、この枠体１１の下端外周部に突出するフランジ１２とを備えている。
【００１７】
前記ランプ本体２０は、ランプが収納された円柱形のランプハウス２１と直方体の制御部２２とからなり、前記制御部２２はランプハウス２１の上面の中心Ｒから側方に寄った位置に設けられている。前記ランプハウス２１の中心Ｒはランプ本体２０の中心である。前記ランプハウス２１は前記ベース１０の枠体１１に嵌合されて固定され、下端の導光板２３が枠体１１から露出している。また、前記制御部２２は枠体１１の外に突出している。
【００１８】
前記端子台３０は前記ランプハウス２１の上面に制御部２２と並んで配置され、側面に電源線用および送り配線用の２組の端子３１、３２が取り付けられている。なお、図は各組の端子を１つのみ表示している。前記端子３１、３２に対し、図２においてＡで示す方向から電源線および送り配線等の電線が接続される。
【００１９】
前記取付バネ４０、５０は、金属板の複数箇所を屈曲させた弾性変形可能な板バネであり、概ねＶ字形である。２つの取付バネ４０、５０はランプハウス２１の中心Ｒに対して対向する位置、即ち２つの取付バネ４０、５０はランプハウス２１の周方向において１８０°の間隔で配置されている。前記取付バネ４０、５０は、Ｖ字形の一方の要素が基端部４１、５１となりその先端の屈曲する支持部４１ａ、５１ａが前記ランプハウス２１の上面に固定され、他方の要素が自由端部４２、５２となってベース１０の外方に放射状に張出し、前記基端部４１、５１と自由端部４２、５２の間の屈曲部４３、５３がベース１０のフランジ１２の上面近くに位置している。前記自由端部４２、５２は屈曲部４３を支点として基端部４１、５１側に弾性変形し、その復元力によって設置天井に係止される。
【００２０】
図２において、Ｐはランプハウス２１の中心Ｒを通り電線の接続方向Ａに平行する直線を示している。２つの取付バネ４０、５０のうちの端子３１、３２に近い取付バネ４０は、前記直線Ｐに対し、端子３１、３２から遠ざかる方向に１０°の位置に配置されている。前記直線Ｐは電線等の接続方向Ａと平行であるから、取付バネ４０は電線等の接続方向Ａに対して遠ざかる方向に１０°の角度の位置に配置されている。本発明において、取付バネ４０の位置は電線等の接続方向Ａに対する角度Ｑで規定され、Ｑが５°〜２０°の範囲とする。このように、電線の接続方向Ａに対して角度を持たせると端子３１、３２前のスペースが広がるので、端子３１、３２に電線を接続する時に取付バネ４０に干渉しにくくなり、接続作業が容易になる。また、電線を接続した後、取付バネ４０を弾性変形させる時も電線に干渉しにくい。前記角度Ｑが５°未満では端子３１、３２のスペースの拡大も僅かであり上記効果が乏しい。前記角度Ｑの好ましい範囲は１０°〜１５°である。
【００２１】
上述したように、前記端子３１、３２はランプハウス２１の中心Ｒ（即ちランプ本体２０の中心Ｒ）から側方に寄った位置に配置されている。しかも、電線の接続方向Ａがランプ本体２０の中心Ｒに向かわない位置に端子３１、３２が取り付けられている。このような位置に端子３１、３２が取り付けられていると、ランプ本体２０に放射状に配置された取付バネ４０は電線に近接しやすく両者が干渉しやすいが、取付バネ４０を電線の接続方向Ａに対して角度を持たせた位置に配置すると端子前３１、３２のスペースが広がるので両者が干渉しにくくなる。
【００２２】
前記取付バネは少なくとも２つ必要であるが、３つ以上の取付バネを有するダウンライトも本発明に含まれる。図４Ｂに示すように、２つの取付バネを取り付けた場合は、親指と人差指で２つの取付バネを押さえることができるので、片手で設置作業を行うことができる。
【００２３】
本発明においてダウンライトの寸法は限定されない。但し、小型のダウンライトでは取付バネや端子の取り付けスペースそのものが小さいために取付バネと端子が近接するので、取付バネと電線の干渉が起こりやすい。従って、本発明は大型のダウンライトよりも小型のダウンライトへの適用意義が大きい。
【００２４】
また、ダウンライトの取り付けには設置天井の裏側に埋込用の空間が必要であるが、その空間の高さは設置場所によって様々である。空間の高さが十分に深い（高い）場合は端子に接続した電線を取付バネから離れるように押しやることは容易である。しかし、空間の高さが浅い（低い）場合は、電線が設置天井に接触しやすく電線を自由に動かせる範囲が狭くなるために設置作業がしづらくなる。本発明のダウンライトは取付バネが電線から遠ざかる方向に取り付けられて両者の干渉が起こり難いので、埋込用空間の高さの浅い設置天井に対しても設置し易い。
【００２５】
［ダウンライトの設置方法］
図４Ａ〜図４Ｄを参照しつつ、前記ダウンライト１を天井６０の取付穴６１に設置する方法を説明する。前記取付穴６１の直径は、ダウンライト１のベース１０の枠体１１よりもやや大きく、フランジ１２の外直径よりも小さい。
【００２６】
まず、図４Ａに示すように、天井６０の取付穴６１から電源線６２および送り配線６３を引き出して端子３１、３２に接続する。端子３１、３２に近い取付バネ４０は電源線６２および送り配線６３から遠ざかる方向に取り付けられているので、取付バネ４０に干渉する電源線５２および送り配線５３を端子３１、３２に接続できる。
【００２７】
次に、図４Ｂおよび図４Ｃに示すように、手で２つの取付バネ４０、５０の自由端部４２、５２を枠体１１側に押して弾性変形させて両自由端部４２、５２間の距離を狭める。前記取付バネ４０は電源線５２および送り配線５３から遠ざかる方向に取り付けられているので、支障なく自由端部４２、５２を変形させることができる。この状態で取付穴６１に端子台３０側からベース１０の枠体１１を挿入する。
【００２８】
そして、図４Ｄに示すように、取付バネ４０、５０から手を離すと、弾性変形させた自由端部４２、５２が復元し、自由端部４２、５２の根元部４２ａ、５２ａが取付穴６１の周面を押圧する。また、自由端部４２、４２の先端部４２ｂ、５２ｂが天井６０の裏面を押圧し、フランジ１２と自由端部４２、５２の先端部４２ｂ、５２ｂとで天井６０を挟み付ける。これにより、ダウンライト１が２つの取付バネ４０、５０によって天井６０に埋め込まれた状態で固定される。
【産業上の利用可能性】
【００２９】
本発明のダウンライトは天井等に埋め込んで設置される照明器具として利用できる。
【符号の説明】
【００３０】
１…ダウンライト
１０…ベース
１１…枠体
１２…フランジ
２０…ランプ本体
２１…ランプハウス
２２…制御部
３０…端子台
３１、３２…端子
４０、５０…取付付バネ
６０…天井（設置天井）
６１…取付穴
６２…電源線（電線）
６３…送り配線（電線）
【図１】
2020198213.tif 000003
【図２】
2020198213.tif 000004
【図３】
2020198213.tif 000005
【図４Ａ】
2020198213.tif 000006
【図４Ｂ】
2020198213.tif 000007
【図４Ｃ】
2020198213.tif 000008
【図４Ｄ】
2020198213.tif 000009